(57)【要約】【課題】  本発明は、工事現場で内装工事をするに際して墨出し作業を短縮しながら間仕切壁ランナーの敷設を簡便で正確にすることでトータルの作業コストを低減できる間仕切壁ランナーの敷設方法及びそれに用いる間仕切壁ランナーに関する。【解決手段】  底面中央部に覗き孔、ライン及び覗き孔と覗き孔を連続的に結ぶライン等からなる芯墨確認機構を長手方向に設けた間仕切壁ランナーを用いて、床、天井等の下地部分に墨出しした芯墨とランナーの中心線とを長手方向に一致させて間仕切壁ランナーを簡易に敷設する。【選択図】  図１
2007321485.tif 000002
【特許請求の範囲】
【請求項１】
敷設面に墨出しした地墨に沿って間仕切壁ランナーを敷設するに際して、ランナーの底面中央部に長手方向に設けた芯墨確認機構によって芯墨とランナーの中心線とを長手方向に一致させる間仕切壁ランナーの敷設方法。
【請求項２】
底面中央部に長手方向に設ける芯墨確認機構が、所定間隔に設ける覗き孔であることを特徴とする請求項１に記載の間仕切壁ランナーの敷設方法に用いる間仕切壁ランナー。
【請求項３】
底面中央部に長手方向に設ける芯墨確認機構が、連続的なラインであることを特徴とする請求項１に記載の間仕切壁ランナーの敷設方法に用いる間仕切壁ランナー。
【請求項４】
底面中央部に設ける芯墨確認機構が所定間隔に設けた覗き孔と該覗き孔を連続的に結ぶラインであることを特徴とする請求項１に記載の間仕切壁ランナーの敷設方法に用いる間仕切壁ランナー。
【発明の詳細な説明】
【技術分野】
【０００１】
本発明は、工事現場で内装工事をするに際して墨出し作業を短縮しながら間仕切壁ランナーの敷設を簡便で正確にすることでトータルの作業コストを低減できる間仕切壁ランナーの敷設方法及びそれに用いる間仕切壁ランナーに関する。
【背景技術】
【０００２】
戸建住宅、アパート及びマンション等の建築物においては、各種の内装工事が行われているが、内装工事の中でも、間仕切壁の施工は重要な作業性を要している。
間仕切壁の内装工事は、図４に示すように、床１０や天井１１等の下地部分に壁軸組として薄板鋼板を折り曲げて構成されるランナー１２を敷設するものであり、次いで上下の下地部分に敷設されたランナー１２間にスタッド等の間柱１３を所定間隔に建て込み、図示のように補強材１４や振れ止め１５等を所定のスタッド間にスペーサ１６を適宜に配置しながら枠組みを構成した後に、建て込まれた間柱の両面もしくは片側面に石膏プラスターボード等から成る板材１７を張り付けて完了されている。（特許文献１、２参照）
そして、間仕切壁のランナーを敷設するに際しては、図５に見られるように床や天井等の下地部分に設計図面に従って墨出しするのが通常であり、従来の墨出しでは、墨出しした芯墨とランナーの中心とが容易に一致しないために、基本になる芯墨１８を設計図面に従って墨出しした後に、更に敷設するランナーの中心から半分の寸法を想定して敷設するランナーの側面を一致させる部分に側墨１９を墨出しするのが一般的な作業工程である。
以上のように、従来の間仕切壁の内装工事では、ランナーを敷設するために芯墨の墨出しとこれに従って更に側墨を墨出しするという二重の墨出しを必須にしているものであり、これらの墨出しを基本にして別途に手配されているランナーを墨出しされた側墨に沿わせて敷設している。
このために、複雑な平面形状や長短の入り乱れた壁長が要求される集合住宅や病院等の間仕切壁の内装工事においては、正確にして簡素な墨出しと芯墨とランナーとの容易な一致による簡潔な敷設が常に要求されているのに対して、作業現場での墨出し作業は、無駄とも言える二重の墨出しが必須であるために結果的に長時間を要すると共に作業ミスが多くなることが発生しており、加えてランナーの変形等によって墨とランナーとの不一致のために作業が中断する場合が生じることとも相俟って、床や天井等の下地部分におけるランナーの敷設は時間を要する割に不正確にして困難である等のために作業現場ではトータルの作業コストが増大してしまう点が潜在的に問題視されていた。
【特許文献１】特開２０００−２７３３９号公報
【特許文献２】特開２００４−１００４４６号公報
【発明の開示】
【発明が解決しようとする課題】
【０００３】
本発明は、従来の間仕切壁の内装工事において必須であった二重の墨出しを不要にして芯墨の墨出しのみにすると共に側隅に頼ることなく芯墨とランナーの中心とを確実に一致させることによって、間仕切壁の内装工事における作業効率を向上させることで結果的にトータルの作業コストを大幅に低減できる間仕切壁ランナーの敷設方法及びそれに用いる間仕切壁ランナーの提供を目的にしている。
【課題を解決するための手段】
【０００４】
本発明による間仕切壁ランナーの敷設方法及びそれに用いる間仕切壁ランナーは、間仕切壁ランナーの敷設方法として、建築物における床や天井等に間仕切壁を敷設する場合の間仕切壁ランナーを敷設する方法を提供するものである。
本発明による間仕切壁ランナーの敷設方法は、間仕切壁ランナーの敷設面に芯墨のみを墨出しして側墨は省略して置き、敷設するための間仕切壁ランナーの底面中央部には、長手方向に配置される芯墨の覗き孔、直線状に隆出されていて間仕切壁ランナーの端部では芯墨と対峙させることのできるラインもしくは上記覗き孔をラインによって直線状に繋いだ覗き孔ラインを形成することで、任意の長さに切断された間仕切壁ランナーであっても、その底面上から敷設面に墨出しされている芯墨を容易に確認したり対峙させたりすることのできる芯墨確認機構を設けて置くものである。
次いで、間仕切壁ランナーを所定の長さに裁断してから地墨に沿って間仕切壁ランナーを敷設する際には、床や天井等の敷設面に墨出しされている芯墨と間仕切壁ランナーの中心線とをこの芯墨確認機構によって長手方向において容易に一致させることが可能であるので、間仕切壁ランナーを設計図面通りの位置に極めて簡潔かつ正確に敷設出来るものであり、芯墨のみの簡素な地墨に沿って間仕切壁ランナーを正確にして簡潔に敷設するものである。
【０００５】
本発明による第１の間仕切壁ランナーは、上記の間仕切壁ランナーの敷設方法に用いるものであり、間仕切壁ランナーにおいて底面中央部の長手方向に設ける芯墨確認機構としては、芯墨を対称角部において正確に確認できる菱型、長方形もしくは四角形等の覗き孔であって、間仕切壁ランナーを細小長に切断しても芯墨を覗き孔によって連続的な直線として観察できる所定の間隔に複数個設けることで、芯墨と間仕切壁ランナーの中心線とを容易に一致させることが可能なものである。
【０００６】
本発明による第２の間仕切壁ランナーは、上記の間仕切壁ランナーの敷設方法に用いるものであり、間仕切壁ランナーにおいて底面中央部の長手方向に設ける芯墨確認機構としては、連続的に隆出している単数又は複数本のラインであって、間仕切壁ランナーを細小長に切断しても芯墨を間仕切壁ランナーの切断端において対峙させて一致していることを確認できるものである。
【０００７】
本発明による第３の間仕切壁ランナーは、上記の間仕切壁ランナーの敷設方法に用いるものであり、間仕切壁ランナーにおいて底面中央部の長手方向に設ける芯墨確認機構としては、上記第１の間仕切壁ランナーで述べたように間仕切壁ランナーを細小長に切断しても芯墨を覗き孔によって連続的な直線として観察できる所定間隔に設けた複数の覗き孔とこの覗き孔を連続的に結ぶ第２の間仕切壁ランナーで述べたような単数又は複数本のラインであって、間仕切壁ランナーを細小長に切断しても芯墨を覗き孔によって連続的な直線として観察できるか芯墨を間仕切壁ランナーの切断端でラインと対峙させて一致していることを確認できるものである。
【発明の効果】
【０００８】
本発明による間仕切壁ランナーの敷設方法は、間仕切壁ランナーの敷設面に側墨は省略して芯墨のみを墨出ししているので、地墨が短時間で簡単かつ正確に墨出し出来ると共に、間仕切壁ランナーの敷設においても床や天井等の敷設面に墨出しされている芯墨と間仕切壁ランナーの中心線とを芯墨確認機構によって長手方向において容易に一致させることが可能であるので、間仕切壁ランナーを設計図面通りの位置に極めて簡潔かつ正確に敷設出来ることからトータルの作業コストを大幅に低減できる効果を奏している。
【０００９】
本発明による第１の間仕切壁ランナーは、間仕切壁ランナーの底面中央部の長手方向に設ける芯墨確認機構を、菱型、長方形もしくは四角形等の覗き孔にして、間仕切壁ランナーを細小長に切断しても芯墨を覗き孔によって連続的な直線として観察できる所定の間隔に複数個設けているので、芯墨と間仕切壁ランナーの中心線とを容易に一致させることが可能な効果を奏している。
【００１０】
本発明による第２の間仕切壁ランナーは、間仕切壁ランナーの底面中央部の長手方向に設ける芯墨確認機構を連続的に隆出している単数又は複数本のラインにしているので、間仕切壁ランナーを細小長に切断しても芯墨を間仕切壁ランナーの切断端において対峙させて一致していることを確認できる効果を奏している。
【００１１】
本発明による第３の間仕切壁ランナーは、間仕切壁ランナーの底面中央部の長手方向に設ける芯墨確認機構を、間仕切壁ランナーを細小長に切断しても芯墨を覗き孔によって連続的な直線として観察できる所定間隔に設けた複数の覗き孔とこの覗き孔を連続的に結ぶ単数又は複数本のラインにしているので、間仕切壁ランナーを細小長に切断しても芯墨を覗き孔によって連続的な直線として観察できるか芯墨を間仕切壁ランナーの切断端でラインと対峙させて一致していることを確認できる効果を奏している。
【発明を実施するための最良の形態】
【００１２】
以下に、本発明による間仕切壁ランナーの敷設方法及びそれに用いる間仕切壁ランナーを、複雑な平面形状や長短の入り乱れた壁長が要求される集合住宅や病院等の間仕切壁の内装工事等における間仕切壁ランナーの敷設方法と間仕切壁ランナーとの具体的な実施の形態に基づいて説明する。
【実施例１】
【００１３】
本発明による間仕切壁ランナーの敷設方法は、複雑な平面形状や長短の入り乱れた壁長が要求される集合住宅や病院等の間仕切壁の内装工事における墨出しとして、図１に示すように間仕切壁ランナーの敷設面１０に芯墨１のみを墨出しするものであり、従来の施工法では必須であった側墨を省略することによって墨出しの作業効率を大幅に改善している。
次いで、墨出しした芯墨１上に敷設する間仕切壁ランナー２は、後述するように、その底面３の中央部に長手方向に配置される芯墨の覗き孔５、直線状に隆出されていて間仕切壁ランナーの端部では芯墨と対峙させることのできるライン６もしくは上記覗き孔をラインによって直線状に繋いだ覗き孔ライン７を形成することで、任意の長さに切断された間仕切壁ランナー２であっても、図１に想像線で表示している状態で間仕切壁ランナー２の底面３上から敷設面１０に墨出しされている芯墨１を容易に確認したり対峙させたりすることのできる芯墨確認機構８を設けている。
間仕切壁ランナー２を所定の長さに裁断してから芯墨１に沿って間仕切壁ランナー２を敷設する際には、床や天井等の敷設面に墨出しされている芯墨１と間仕切壁ランナー２の中心線４とをこの芯墨確認機構８によって図示のようにして調整配置させながら長手方向において容易に一致させることが可能であるので、間仕切壁ランナー２を設計図面通りの位置に極めて簡潔かつ正確に敷設出来ることから芯墨のみの簡素な地墨に沿って間仕切壁ランナーを正確にして簡潔に敷設できるものである。
【実施例２】
【００１４】
間仕切壁の内装工事において敷設する本発明による第１の間仕切壁ランナーについては、図１において敷設面１０から浮かせた形態で表示している。
図示のように、間仕切壁ランナー２の底面３には、その中央部として総称される中心線４が間仕切壁ランナー２の長手方向において確定されており、芯墨確認機構８としての覗き孔５は、この長手方向に確定される中心線４に従って所定の間隔に配置することを基本にしながら間仕切壁の内装工事において切断される最小の間隔も考慮して直線的な連続形態に配置されている。
図示の覗き孔５は、その形態として菱形に打ち抜かれているが、菱形にしている根拠は、形成される角９の形状が先鋭になることで両方の角９、９に結ぶ線を鮮明に出来るために選択されたものであって、上記の理由から菱形が望ましいものであっても決してこれに限定されるものでなく、菱形の他に円形、正方形もしくは三角形であっても否定されるものでない。
その理由としては、他の形態の覗き孔５を間仕切壁ランナーの底面３に連続的に形成することによって、覗き孔５を通して見た場合に、敷設面１０上の芯墨１が中心線４との一致状態を覗き孔５との対応において間違いなく認識できるからであり、これによって間仕切壁ランナー２を芯墨１の位置に正しく敷設されることが確認できるからである。
従って、間仕切壁ランナーの底面３に連続的に形成される覗き孔５による芯墨確認機構としては、間仕切壁ランナーの底面３に連続的に形成される覗き孔５から通して見た場合に、敷設面１０上の芯墨１が連続する覗き孔５から中心線状に確認できるものであれば、覗き孔５の具体的な形状には何らの限定も無いものである。
【実施例３】
【００１５】
間仕切壁の内装工事において敷設する本発明による第２の間仕切壁ランナーについて図２に従って説明する。
図示のように、間仕切壁ランナー２の底面３には、特に図示していないが上述したところと同様にその中央部として総称される中心線４が間仕切壁ランナー２の長手方向において想定されており、芯墨確認機構８としてのライン６は、この長手方向に確定される中心線４に従って直線状に隆出された山形に形成されている。
ライン６の形状としては、図示の山形に限定されるものでなく間仕切壁ランナー２を敷設のために所定の長さに切断した際にその端部に於いて間仕切壁ランナー２の底面３と峻別できる形状であれば、丸、四角等の直線状に形成できる全ての形が容認できるものである。
間仕切壁ランナー２の敷設に際しては、直線状のラインの明確な隆出形状がその端部に形成されるように間仕切壁ランナー２を所定の寸法に切断してから施工するものであり、その後に、間仕切壁ランナー２を底面３に形成されているライン６の両端部を敷設面１０上の芯墨１に対峙させて、両者が一致していることが確認できた段階で間仕切壁ランナー２を固定して間仕切壁ランナー２の敷設を完了するものである。
従って、間仕切壁ランナーの底面３に連続的に形成されるライン６による芯墨確認機構としては、間仕切壁ランナーの底面３に明確な隆出形状が中心線状に確認できると共に切断に際して端部にライン６の形状が残るものであれば、その具体的な形状には何らの限定も無いものである。
【実施例４】
【００１６】
間仕切壁の内装工事において敷設する本発明による第３の間仕切壁ランナーについては、図３に基づいて説明する。
図示のように、間仕切壁ランナー２の底面３には、上記の各例と同様にその中央部に中心線４が間仕切壁ランナー２の長手方向において想定されており、芯墨確認機構８としては、この長手方向に確定される中心線４に従って所定の間隔に配置することを基本しながら間仕切壁の内装工事において切断される最小の間隔も考慮して直線的な連続形態に配置されている覗き孔５とこれらの覗き孔５を直線状に繋いだ覗き孔ライン７とから形成されている。
図示の覗き孔５は、その形態として菱形に打ち抜かれているが、その理由は上述の通りであると共に本実施例では特に覗き孔ライン７が覗き孔５の中心線を明確にしていることから菱形に限定されるものでなく、円形、正方形もしくは三角形であっても何ら否定されるものでなく、その間隔においても上記の実施例に比較してそんなに厳しいものでない。
又、覗き孔ライン７の形状にしても、図示の山形に限定されるものでなく間仕切壁ランナー２を敷設のために所定の長さに切断した際にその端部に於いて間仕切壁ランナー２の底面３と峻別できる形状であれば、丸、四角等の直線状に形成できる全ての形が容認できるものである。
間仕切壁ランナー２は、所定の長さに裁断してから芯墨１に沿って間仕切壁ランナー２を敷設する際に床や天井等の敷設面に墨出しされている芯墨１と間仕切壁ランナー２の中心線４とを覗き孔５と覗き孔ライン７からなる芯墨確認機構８によって一致させるものであるが、これらによる位置調整は容易に可能になるので、間仕切壁ランナー２を設計図面通りの位置に極めて簡潔かつ正確に敷設出来ることから、芯墨のみの簡素な地墨に沿って間仕切壁ランナーを正確にして簡潔に敷設出来るものである。
以上の内装工事における間仕切壁の敷設において、採用する各間仕切壁ランナーと第１〜３の各間仕切壁ランナーでの芯墨確認機構８について覗き孔５、ライン６及び覗き孔ライン７からなるいずれの場合も単一なものとして説明してきたが、間仕切壁の内装工事にあっては間仕切壁ランナー２の形状を上記の各実施例のものばかりでなく、複数の間仕切壁や複雑な形状の間仕切壁を採用する場合もあり、そこに採用される間仕切壁ランナーの形状も単一な間仕切壁でなく複数の間仕切壁に対応できるものが要求されることがある。
このような場合に、本発明による第１〜３の各間仕切壁ランナーは、芯墨確認機構の具体例として覗き孔の列やラインを平行な複数に配列させたり、第１と第２の各間仕切壁ランナーを組み合わせたり、単一の覗き孔で複数の芯墨に対して適用する等の対応も図ると共に、第３の間仕切壁ランナーの場合には、複数列の覗き孔ラインに渡っての覗き孔を創設する等についても各種に対処できるものである。
【産業上の利用可能性】
【００１７】
本発明は、工事現場で内装工事をするに際して墨出し作業を短縮しながら間仕切壁ランナーの敷設を簡便で正確にすることでトータルの作業コストを低減できる間仕切壁ランナーの敷設方法及びそれに用いる間仕切壁ランナーに関する。
【図面の簡単な説明】
【００１８】
【図１】本発明による第１の間仕切壁ランナーとその敷設概念図
【図２】本発明による第２の間仕切壁ランナー図
【図３】本発明による第３の間仕切壁ランナー図
【図４】従来における間仕切壁ランナーの敷設図
【図５】従来における間仕切壁ランナーの敷設概念図
【符号の説明】
【００１９】
１…芯墨、２…間仕切壁ランナー、３…底面、４…中心線、５…菱形、６…  ライン、７…覗き孔ライン、８…芯墨確認機構、９…角、１０…床、１１…天井、  １２…ランナー、１３…間柱、１４…補強材、１５…振れ止め、１６…スペーサ、１７…板材、１８…芯墨、１９…側墨
【図１】
2007321485.tif 000003
【図２】
2007321485.tif 000004
【図３】
2007321485.tif 000005
【図４】
2007321485.tif 000006
【図５】
2007321485.tif 000007